(57)【要約】【課題】表示可能な文字数が限られた表示手段によってより多くの内容を表示することができる技術を提供する。【解決手段】所定数の文字を表示することが可能な幅を有する表示手段と、表示手段により各行毎に所定の文字列を表示する制御手段とを備えた表示装置において、制御手段により、各行毎の文字列の表示を行うに際し、各文字列が、それを構成する文字の数が前記所定数以上で（ステップ４３）、かつ英字表記を含むものである場合、該文字列については、英字表記における母音を表す文字の表示を省略するようにする（ステップ４４〜５０）。【選択図】図４
2009258867.tif 000002
【特許請求の範囲】
【請求項１】
所定数の文字を表示することが可能な幅を有する表示手段と、
前記表示手段により各行毎に所定の文字列を表示する制御手段とを備えた表示装置において、
前記制御手段は、前記各行毎の文字列の表示を行うに際し、各文字列が、それを構成する文字の数が前記所定数以上で、かつ英字表記を含むものである場合、該文字列については、英字表記における母音を表す文字の表示を省略することを特徴とする表示装置。
【請求項２】
前記制御手段は、前記母音を省略した文字列の表示を行うに際し、該文字列の表示の開始から所定時間が経過するまでは母音の省略を行うことなく表示を行い、その後に、母音を省略した表示を行うものであることを特徴とする請求項１に記載の表示装置。
【請求項３】
前記制御手段は、前記文字列における母音の省略を、該文字列を構成する文字の数が前記所定数以下となるように、該文字列を構成する一部の語句に対して行うものであることを特徴とする請求項１又は２に記載の表示装置。
【請求項４】
前記制御手段は、前記一部の語句を、所定の優先順位に基づいて決定することを特徴とする請求項３に記載の表示装置。
【請求項５】
前記制御手段は、前記文字列における母音の省略を、該文字列を構成する各単語の最初の文字については行わないことを特徴とする請求項１〜４のいずれか１項に記載の表示装置。
【請求項６】
前記制御手段は、前記文字列を構成する各単語において母音が複数連続している場合、該複数連続している母音のうちの最後のものについては、前記母音の省略を行わないことを特徴とする請求項１〜５のいずれか１項に記載の表示装置。
【請求項７】
請求項１〜５のいずれかの表示装置における制御手段としてコンピュータを機能させることを特徴とするプログラム。
【請求項８】
所定数の文字を表示することが可能な幅を有する表示手段により各行毎に所定の文字列を表示する制御工程を備えた表示方法であって、
前記制御工程では、前記各行毎の文字列の表示を行うに際し、各文字列が、それを構成する文字の数が前記所定数以上で、かつ英字表記を含むものである場合、該文字列については、英字表記における母音を表す文字の表示を省略することを特徴とする表示方法。
【発明の詳細な説明】
【技術分野】
【０００１】
本発明は、文字列を表示する表示装置、該表示装置における制御手段としてコンピュータを機能させるプログラム、及び文字列を表示する表示方法に関する。
【背景技術】
【０００２】
従来、蛍光表示管や液晶ディスプレイ等の表示装置によって文字を表示する際に、表示桁が足りないために、すべての文字を表示することができない場合には、スクロール表示等を行うことにより対応している。従来のポータブルプレーヤや、据え置き型のオーディオシステム等においても、表示部の面積を大きくすることができない場合には、１行に表示可能な文字数が少ない。たとえば１行につき表示可能な文字数は１０〜１５文字程度である。これらのオーディオ装置において、再生する楽曲の楽曲名、アーティスト名等を表示する場合、１行で表示しきれない文字列については、スクロールして表示したり、行を分けて表示したりする等の処理により、表示すべき文字列の全体を表示するようにしている。
【０００３】
また、ファイル名の表示に関する技術として、ＭＰ３ファイルのファイル名を表示する場合に、拡張子部分「．ＭＰ３」を省略するようにした技術も知られている（たとえば特許文献１参照）。
【０００４】
【特許文献１】特開２００２−３４３０６７号公報
【発明の開示】
【発明が解決しようとする課題】
【０００５】
しかしながら、上述のように、表示桁が少ないためにスクロールにより文字列の全体を表示する場合には、何らかの操作を連続的に行い、連続的に表示内容が変化する場合にはスクロールが間に合わないので、表示内容がわかりにくく、表示内容に基づいて所望の動作を選択するのに手間取る場合がある。たとえば、楽曲検索の場合のように短時間で複数の楽曲名を確認する作業が必要な場合、各楽曲名を構成する文字のすべてをスクロール表示すると、かなりの時間を要する。したがって、このような確認作業にはスクロール表示は適していない。
【０００６】
また、１つの楽曲名を行を分けて表示する場合には、行が増える分だけ表示に要する面積が増加するので、同時に表示されるその楽曲に関する他の情報や、楽曲検索時にその楽曲名に隣接して表示される前後の楽曲名を表示するためのスペースが減少する。
【０００７】
また、拡張子「．ＭＰ３」を省略してＭＰ３ファイル名を表示する技術によれば、拡張子のみが省略の対象となるが、楽曲の選択や聴取を行う場合には、楽曲のタイトルやアーティスト名、アルバム名等を確認したい場合が多い。このため、拡張子のみを省略したとしても、楽曲のタイトル等を把握する場合における省スペース効果は薄い。
【０００８】
本発明の目的は、このような従来技術の問題点に鑑み、表示可能な文字数が限られた表示手段によってより多くの内容を表示することができる技術を提供することにある。
【課題を解決するための手段】
【０００９】
この目的を達成するため、第１の発明に係る表示装置は、所定数の文字を表示することが可能な幅を有する表示手段と、前記表示手段により各行毎に所定の文字列を表示する制御手段とを備えた表示装置において、前記制御手段は、前記各行毎の文字列の表示を行うに際し、各文字列が、それを構成する文字の数が前記所定数以上で、かつ英字表記を含むものである場合、該文字列については、英字表記における母音を表す文字の表示を省略することを特徴とする。
【００１０】
第２の発明に係る表示装置は、第１発明において、前記制御手段は、前記母音を省略した文字列の表示を行うに際し、該文字列の表示の開始から所定時間が経過するまでは母音の省略を行うことなく表示を行い、その後に、母音を省略した表示を行うものであることを特徴とする。
【００１１】
第３の発明に係る表示装置は、第１又は第２発明において、前記制御手段は、前記文字列における母音の省略を、該文字列を構成する文字の数が前記所定数以下となるように、該文字列を構成する一部の語句に対して行うものであることを特徴とする。
【００１２】
第４の発明に係る表示装置は、第３発明において、前記制御手段は、前記一部の語句を、所定の優先順位に基づいて決定することを特徴とする。
【００１３】
第５の発明に係る表示装置は、第１〜第４のいずれかの発明において、前記制御手段は、前記文字列における母音の省略を、該文字列を構成する各単語の最初の文字については行わないことを特徴とする。
【００１４】
第６の発明に係る表示装置は、第１〜第５のいずれかの発明において、前記制御手段は、前記文字列を構成する各単語において母音が複数連続している場合、該複数連続している母音のうちの最後のものについては、前記母音の省略を行わないことを特徴とする。
【００１５】
第７の発明に係るプログラムは、第１〜第５のいずれかの発明に係る表示装置における制御手段としてコンピュータを機能させることを特徴とする。
【００１６】
第８の発明に係る表示方法は、所定数の文字を表示することが可能な幅を有する表示手段により各行毎に所定の文字列を表示する制御工程を備えた表示方法であって、前記制御工程では、前記各行毎の文字列の表示を行うに際し、各文字列が、それを構成する文字の数が前記所定数以上で、かつ英字表記を含むものである場合、該文字列については、英字表記における母音を表す文字の表示を省略することを特徴とする。
【発明の効果】
【００１７】
本発明によれば、表示可能な文字数が限定された表示手段を用い、より多くの内容を表示することができる。
【発明を実施するための最良の形態】
【００１８】
図１は本発明の一実施形態に係るオーディオ再生装置の構成を示すブロック図である。同図に示すように、この装置は、装置各部の制御や必要な情報処理を行うシステムマイコン１１、楽曲コンテンツのファイルを記憶する記憶部１２、システムマイコンン１１からの指示により記憶部１２から指示されたファイルを読み出し、デコード等の信号処理を施すデジタル・シグナル・プロセッサ（以下、「ＤＳＰ」という。）１３、ＤＳＰ１３からのデジタルオーディオ信号をアナログ信号に変換するＤＡコンバータ１４、ＤＡコンバータ１４からのアナログオーディオ信号を増幅する増幅部１５、増幅部１５において増幅されたオーディオ信号をスピーカ等に出力する出力部１６、システムマイコン１１に対して指示を与える操作を行うための操作部１７、及びシステムマイコン１１がユーザに対して提示する情報を表示する表示部１８を備える。
【００１９】
記憶部１２はハードディスクやフラッシュメモリ等の読書き可能な大容量記憶デバイスにより構成される。出力部１６はスピーカやヘッドホンその他の外部への出力を行うための端子等により構成される。記憶部１２にはＷＭＡやＭＰ３形式の楽曲ファイルが記憶される。各楽曲ファイルには、メタデータとして、その楽曲ファイルが属するアルバム、ジャンル、アーティスト等の属性情報が付随しており、これを利用して所望の楽曲ファイルの検索が行われる。
【００２０】
図２は図１のオーディオ再生装置の外観を示す。表示部１８及び操作部１７の外観に係る部分が示されている。操作部１７は電源のオン・オフ等を行うための電源ボタン２１、出力音量を調整するためのボリュームボタン２２、及び画面のスクロールや選択を行うためのマルチコントロールボタン２３を備える。表示部１８上には、ユーザが選択可能な選択項目の一覧が表示される。
【００２１】
選択項目の選択に際しては、所望の選択項目がカーソルにより指示される。マルチコントロールボタン２３はカーソルを移動させるための上ボタン及び下ボタンや、指示された選択項目を選択するための選択ボタン等を備える。カーソルによって指示された選択項目はハイライト表示される。つまり、ハイライト表示がカーソルとなっている。上ボタン又は下ボタンが押下されると、システムマイコン１１はカーソルを、選択項目の一覧上を上又は下方向（行方向に直交する方向）に移動させる。その際、必要に応じて一覧を上下方向にスクロールさせることにより、選択項目数が表示部１８における表示可能な数より多い場合でも、任意の選択項目に対するカーソルの位置づけを行うことを可能にしている。
【００２２】
ユーザは、上ボタン又は下ボタンを押下すると、指示される選択項目が一覧中の上又は下の選択項目に順次切り替わってゆくので、所望の選択項目がハイライト表示されたところで上ボタン又は下ボタンの操作を停止し、選択ボタンを押下するによって、ハイライト表示された選択項目を選択することができる。
【００２３】
表示部１８においては、階層的に構成された各種選択画面が表示される。たとえば最上階層のメインメニュー画面においては「アーティスト」、「アルバム」、「ジャンル」といった項目が選択項目として表示される。「アーティスト」が選択されると、記憶部１２に記憶されている各楽曲データに付随する属性情報に基づき、各アーティスト名を選択項目として一覧表示するアーティスト選択画面が表示される。この選択画面においてアーティスト名が選択されると、そのアーティスト名に属するアルバム名を選択項目とするアルバム選択画面が表示される。この選択画面においてアルバム名が選択されると、そのアルバム名に属する楽曲名を選択項目として一覧表示した楽曲選択画面が表示される。このようにして各種選択画面を介して、再生したい楽曲等の検索を行うことができるようになっている。楽曲選択画面において楽曲名が選択されると、その楽曲の再生が開始され、再生画面が表示される。再生画面においては再生中の楽曲の楽曲名が表示される。
【００２４】
図３は上述の楽曲選択画面や再生画面における楽曲名の表示例を示す。楽曲選択画面や再生画面においては、表示部１８の大きさの関係上、１行に１８文字までが表示可能となっている。この１行において楽曲名「Ｒｏｃｋ  ａｎｄ  Ｒｏｌｌ  Ｍｕｓｉｃ」を表示する場合、従来は同図（ａ）のように「Ｒｏｃｋ  ａｎｄ  Ｒｏｌｌ  Ｍｕｓｉ」と表示されるが、本実施形態においては同図（ｂ）のように、「Ｒｃｋ  ａｎｄ  Ｒｌｌ  Ｍｓｃ」と省略した形式で表示される。すなわち「Ｒｏｃｋ  ａｎｄ  Ｒｏｌｌ  Ｍｕｓｉｃ」は１行に収まらないので、各単語の先頭以外の母音「ａ」、「ｉ」、「ｕ」、［ｅ］、「ｏ」を省略することにより、各単語の判別が可能な範囲内で文字列を圧縮し、１行に収まるようにしている。
【００２５】
この圧縮方法によれば、たとえば、表示桁数が５桁の表示装置において「ｒｅｓｔａｒｔ」を表示する場合、従来は「ｒｅｓｔａ」となり、「ｒｅｓｔａｒｔ」又は「ｒｅｓｔａｕｒａｎｔ」のいずれであるかが区別できないところ、「ｒｓｔｒｔ」と表示されるので、「ｒｅｓｔａｒｔ」の意味であることを判別することができる。
【００２６】
図４はこのような母音を省略した文字列の表示を可能とするシステムマイコン１１における処理を示すフローチャートである。この処理は、操作部１７における所定のキー操作があった場合、又は再生している楽曲が次の楽曲に切り替わったことに応じて、表示部１８の所定の１行における表示を切え替えるときのものである。
【００２７】
すなわち、処理を開始すると、まず、ステップ４１において、所定のキー操作があったか又は再生楽曲が次の楽曲に切り替わったかどうかを判定する。このキー操作又は切替えがあったと判定した場合には、前記所定の１行における表示内容の変更が発生するので（ステップ４２）、システムマイコン１１は、変更後の表示内容に係る文字列が１行において表示可能かどうかを判定する。表示可能とは、文字列を構成する文字の数が、１行で表示可能な文字数を超えないことを意味する。表示可能であると判定した場合には、ステップ５１へ進み、変更後の文字列をそのまま前記所定の１行において表示し、図４の処理を終了する。
【００２８】
１行で表示可能ではないと判定した場合には、ステップ４４〜５０において、変更後の表示内容に係る文字列についての圧縮処理を行う。この圧縮処理は、上述の圧縮方法に従い、当該文字列を先頭の文字から順次調査してゆき、省略すべき文字を当該文字列から削除することにより行われる。
【００２９】
すなわち、ステップ４４において、当該文字列中の調査の対象とされた文字が、当該文字列を構成する各単語の先頭の文字である場合には、省略の対象とはしないので、１文字送り、次の文字を調査対象とする。次に、ステップ４５において、調査対象とされた文字が単語の最後の文字かどうかを判定する。最後の文字ではないと判定した場合には、ステップ４６において、調査対象とされた文字が母音「ａ」、「ｉ」、「ｕ」、「ｅ」、「ｏ」のいずれかに一致するかどうかを判定する。いずれかに一致すると判定した場合には、ステップ４７において、調査対象とされた文字を削除してステップ４５に戻り、次の文字を調査対象として、調査を続行する。ステップ４６においていずれの母音にも一致しないと判定した場合にはステップ４８において１文字送って次の文字を調査対象とし、ステップ４５に戻って調査を続行する。
【００３０】
ステップ４５において調査対象の文字が単語の最後の文字であると判定した場合には、ステップ４９へ進み、当該文字列を構成するすべての単語についての調査が終了したかどうかを判定する。終了していないと判定した場合には、ステップ５０において次の単語を調査対象とし、ステップ４４へ戻り、調査を続行する。すべての単語の調査が終了したと判定した場合には、ステップ５１において、圧縮された当該文字列を用いて、前記所定の１行における表示を行い、図４の処理を終了する。ステップ４１においてキー操作又は切替えのいずれも発生しなかったと判定した場合には、前記所定の１行における表示内容を維持し（ステップ５１）、図４の処理を終了する。
【００３１】
本実施形態によれば、楽曲名等の１行で表示すべき文字列の表示を行うに際し、その文字列を構成する文字数が１行で表示可能な文字数を超える場合には、英字表記における母音を表す文字の表示を省略するようにしたため、その文字列についてのより多くの内容を１行において表示することができる。
【００３２】
図５は本発明の他の実施形態に係るオーディオ再生装置における表示例を示す。装置の構成図としては図１及び図２がそのまま適用される。この装置においては、文字列における母音の省略を、該文字列を構成する文字の数が１行で表示可能な文字数以下となるように、該文字列を構成する一部の単語に対して行うようにしている。その際、どの単語について母音の省略を行うかは、所定の優先順位に基づいて決定される。
【００３３】
すなわち、１９文字からなる文字列「Ｒｏｃｋ  ａｎｄ  Ｒｏｌｌ  Ｍｕｓｉｃ」を、１８文字が表示可能な１行において表示する場合、文字列における前に位置する単語ほど高くなるように優先順位を設定するとすれば、システムマイコン１１は、この文字列を、図５（ａ）のように表示する。優先順位が最も高い「Ｒｏｃｋ」において「ｏ」を省略して、「Ｒｃｋ  ａｎｄ  Ｒｏｌｌ  Ｍｕｓｉｃ」とすれば、１８文字となり、１行において表示可能となるからである。
【００３４】
なお、この場合において１行で表示可能な文字数が１７文字であるとすれば、「Ｒｏｌｌ」における「ｏ」がさらに省略されることになる。この場合も、「ａｎｄ」における「ａ」は単語の先頭であるため、省略されない。
【００３５】
一方、上述の文字列「Ｒｏｃｋ  ａｎｄ  Ｒｏｌｌ  Ｍｕｓｉｃ」を、１８文字が表示可能な１行において表示する場合、文字列における後に位置する単語ほど高くなるように優先順位を設定するとすれば、システムマイコン１１は、この文字列を、図５（ｂ）のように表示する。優先順位が最も高い「Ｍｕｓｉｃ」において母音を省略し、「Ｒｏｃｋ  ａｎｄ  Ｒｏｌｌ  Ｍｓｃ  」とすれば、１８文字内に収まり、１行において表示可能となるからである。この場合も、「Ｍｕｓｉｃ」における母音の省略で足りない場合には、さらに次に優先順位の高い「Ｒｏｌｌ」について母音の省略が行われることになる。
【００３６】
文字列における前又は後ろのいずれに位置する単語ほど優先順位を高くするかについては、ユーザが設定できるようにすることができる。
【００３７】
本実施形態によれば、１行で収まるように、必要な範囲内で母音の省略を行うことができる。なお、言及しなかった他の点については、図１〜図４の実施形態の場合と同様である。
【００３８】
図６は本発明の別の実施形態に係るオーディオ再生装置における表示例を示す。装置の構成図としては図１及び図２がそのまま適用される。この装置においては、文字列を構成する各単語において母音が複数連続している場合、該複数連続している母音のうちの最後のものについては、母音の省略を行わないようにしている。他の点については、図１〜図４の実施形態の場合と同様である。
【００３９】
すなわち、２０文字からなる文字列「Ａｌｌ  Ｙｏｕ  Ｎｅｅｄ  Ｉｓ  Ｌｏｖｅ」を１８文字が表示可能な１行において表示する場合、従来の方法によれば、図６（ａ）のように表示される。これに対し、本実施形態によれば、システムマイコン１１は、「Ｙｏｕ」における「ｏ」は省略するが「ｕ」は残し、「Ｎｅｅｄ」における後ろ側の「ｅ」は残しさらに「Ｌｏｖｅ」における「ｏ」及び「ｅ」は原則どおり省略して、同図（ｂ）のように表示する。
【００４０】
本実施形態によれば、各単語において母音が複数連続している場合、連続している母音のうちの最後のものについては省略することなく表示するようにしたため、母音の省略により各単語の意味が不明となるのを防止することができる。
【００４１】
なお、本発明は上述実施形態に限定されることなく、適宜変形して実施することができる。たとえば、上述においては言及しなかったが、母音省略後の文字列によっても１行に表示できない場合には、母音省略後の文字列について、スクロール表示を行うようにしてもよい。その場合、従来のように本来の文字列全体をスクロール表示する場合に比べ、スクロール表示に要する時間が短いので、文字列の内容を短時間で把握することができる。
【００４２】
また、上述においては、楽曲名を表示する場合を例として説明したが、楽曲名に限らずアーティスト名やアルバム名を表示する場合においても、上述のように母音を省略した表示を行うことができる。
【００４３】
また、上述においては、母音を省略した文字列の表示を行うに際し、最初から母音省略後の文字列の表示を行うようにしているが（ステップ４４〜５１）、この代わりに、当該文字列についての表示の開始から所定時間、たとえば１秒が経過するまでは母音の省略を行うことなく当該文字列の表示を行い、その後に、母音を省略した文字列により表示を行うようにしてもよい。また、この表示順序を逆にしてもよい。
【図面の簡単な説明】
【００４４】
【図１】本発明の一実施形態に係るオーディオ再生装置の構成を示すブロック図である。
【図２】図１の装置の外観を示す図である。
【図３】図１の装置の表示部における選択項目の表示例を示す図である。
【図４】図１の装置のシステムマイコンにおける処理を示すフローチャートである。
【図５】本発明の他の実施形態に係る表示例を示す図である。
【図６】本発明の別の実施形態に係る表示例を示す図である。
【符号の説明】
【００４５】
１１：システムマイコン、１２：記憶部、１３：ＤＳＰ、１４：ＤＡコンバータ、１５：増幅部、１６：出力部、１７：操作部、１８：表示部、２１：電源ボタン、２２：ボリュームボタン、２３：マルチコントロールボタン。
【図１】
2009258867.tif 000003
【図２】
2009258867.tif 000004
【図４】
2009258867.tif 000005
【図３】
2009258867.tif 000006
【図５】
2009258867.tif 000007
【図６】
2009258867.tif 000008